(57)【要約】【課題】スライドショー表示において、表示する画像を変更する際の効果の設定が容易な画像表示装置を提供することを目的とする。【解決手段】複数の画像データを記憶する第１の記憶媒体と、第１の記憶媒体に記憶されている画像データが示す画像を表示する表示手段と、第１の記憶媒体に記憶されている複数の画像データを連続的に表示し、表示する画像を変更する際に、複数の表示効果のうちの何れかの表示効果を表示するように表示手段を制御する制御手段と、モードの選択指示を受け付ける受付手段と、を備え、複数の表示効果のうちの全部又は一部の表示効果は、複数のグループのうちの全部又は一部のグループに分類されており、制御手段は、受付手段が選択指示を受け付けたモードに応じて、複数のグループのうちの何れのグループに含まれる表示効果を表示手段に表示させるかを決定する。【選択図】図１
2012142656.tif 000002
【特許請求の範囲】
【請求項１】
複数の画像データを記憶する第１の記憶媒体と、
前記第１の記憶媒体に記憶されている画像データが示す画像を表示する表示手段と、
前記第１の記憶媒体に記憶されている複数の画像データを連続的に表示し、表示する画像を変更する際に、複数の表示効果のうちの何れかの表示効果を表示するように前記表示手段を制御する制御手段と、
モードの選択指示を受け付ける受付手段と、を備え、
前記複数の表示効果のうちの全部又は一部の表示効果は、複数のグループのうちの全部又は一部のグループに分類されており、
前記制御手段は、
前記受付手段が選択指示を受け付けたモードに応じて、前記複数のグループのうちの何れのグループに含まれる表示効果を前記表示手段に表示させるかを決定する、
画像表示装置。
【請求項２】
前記制御手段は、
前記複数のグループのうちの何れのグループに含まれる表示効果を前記表示手段に表示させるかを決定し、前記決定したグループに含まれる１又は複数の表示効果のうちの何れかの表示効果をランダムに選択し、前記選択した表示効果を表示するよう前記表示手段を制御する、
請求項１に記載の画像表示装置。
【請求項３】
複数の音声データを記憶する第２の記憶媒体と、
前記第２の記憶媒体に記憶されている音声データが示す音声を出力するスピーカと、をさらに備え、
前記複数のグループの全部又は一部のグループには、前記第２の記憶媒体に記憶されている複数の音声データのうちの何れかの音声データが対応付けられており、
前記制御手段は、
前記複数のグループのうちの何れのグループに含まれる表示効果を前記表示手段に表示させるかを決定した際に、前記決定したグループに対応付けられている音声データが示す音声を出力するよう前記スピーカを制御する、
請求項１又は２の何れか１項に記載の画像表示装置。
【発明の詳細な説明】
【技術分野】
【０００１】
本発明は画像表示装置に関し、特に、画像のスライドショー表示が可能な画像表示装置に関する。
【背景技術】
【０００２】
特許文献１は、再生情報ファイル生成プログラムを開示する。このプログラムは、楽曲音声ファイルの再生時間や出力用記録媒体の容量等を参照して定められる基準再生時間から、動画ファイルに基づき表示手段により画像が表示される時間を除いた時間に対して、各々の静止画像ファイルに基づき表示手段により画像が表示される時間が所定の割付方法で割り付られるように再生情報ファイルを生成するプログラムである。
【０００３】
これにより、画像と楽曲音声の整合が図られた一体感のある音楽付きスライドショーを再生できる。
【先行技術文献】
【特許文献】
【０００４】
【特許文献１】特開２００４−３４３４７１号公報
【発明の概要】
【発明が解決しようとする課題】
【０００５】
ところで、画像のスライドショー表示を行うにあたって、表示する画像を変更する際に表示する表示効果として使用者が適切な表示効果を設定することは煩雑であった。
【０００６】
本発明は、スライドショー表示において、表示する画像を変更する際の効果の設定が容易な画像表示装置を提供することを目的とする。
【課題を解決するための手段】
【０００７】
上記課題を解決するために、本発明にかかる画像表示装置は、複数の画像データを記憶する第１の記憶媒体と、第１の記憶媒体に記憶されている画像データが示す画像を表示する表示手段と、第１の記憶媒体に記憶されている複数の画像データを連続的に表示し、表示する画像を変更する際に、複数の表示効果のうちの何れかの表示効果を表示するように表示手段を制御する制御手段と、モードの選択指示を受け付ける受付手段と、を備え、複数の表示効果のうちの全部又は一部の表示効果は、複数のグループのうちの全部又は一部のグループに分類されており、制御手段は、受付手段が選択指示を受け付けたモードに応じて、複数のグループのうちの何れのグループに含まれる表示効果を表示手段に表示させるかを決定する。
【発明の効果】
【０００８】
本発明によれば、スライドショー表示において、表示する画像を変更する際の効果の設定が容易な画像表示装置を提供できる。
【図面の簡単な説明】
【０００９】
【図１】デジタルビデオカメラ１００の電気的構成を示す模式図
【図２】表示効果の例を説明するための模式図
【図３】スライドショー動作を説明するためのフローチャート
【図４】モード選択画面の模式図
【図５】モードと表示効果と音声データとの対応関係を示す管理テーブルを示す図
【発明を実施するための形態】
【００１０】
１．実施の形態１
本発明をデジタルビデオカメラに適用した実施の形態１について図面を用いて説明する。
【００１１】
１−１．概要
本実施の形態にかかるデジタルビデオカメラ１００は、動画に加えて静止画を撮影できる。デジタルビデオカメラ１００は、ＣＭＯＳイメージセンサ１４０により撮像された画像に基づいて生成された静止画像データをメモリカード２００に記録する。デジタルビデオカメラ１００は、メモリカード２００に記憶されている静止画像データを再生し、再生した静止画を表示モニタ２２０に表示できる。
【００１２】
また、デジタルビデオカメラ１００は、メモリカード２００に記憶されている複数の静止画像データを自動的に連続して再生し、再生した静止画を連続的に表示モニタ２２０に表示できる。このように複数の静止画を自動的に連続して表示することをスライドショー表示という。デジタルビデオカメラ１００は、スライドショー表示において、表示する画像を変更する際に複数の表示効果のうちの何れかの表示効果を表示モニタ２２０に表示できる。
【００１３】
デジタルビデオカメラ１００は、スライドショー表示に関して、複数のモードに設定できる。デジタルビデオカメラ１００は、複数の表示効果のうちの全部又は一部の表示効果を複数のグループのうちの全部又は一部のグループに分類している。デジタルビデオカメラ１００は、設定されたモードに応じて、複数のグループのうちの何れのグループに含まれる表示効果を表示モニタ２２０に表示させるかを決定する。これにより、スライドショー表示において、表示する画像を変更する際の効果の設定が容易となる。
【００１４】
１−２．構成
１−２−１．電気的構成
本実施の形態にかかるデジタルビデオカメラ１００の電気的構成について図１を用いて説明する。図１は、デジタルビデオカメラ１００の構成を示すブロック図である。デジタルビデオカメラ１００は、１又は複数のレンズからなる光学系１１０により形成された被写体像をＣＭＯＳイメージセンサ１４０で撮像する。ＣＭＯＳイメージセンサ１４０で生成された画像データは、画像処理部１６０で各種処理が施され、メモリカード２００に格納される。以下、デジタルビデオカメラ１００の構成を詳細に説明する。
【００１５】
光学系１１０は、ズームレンズやフォーカスレンズにより構成される。ズームレンズを光軸に沿って移動させることにより、被写体像の拡大、縮小をすることができる。また、フォーカスレンズを光軸に沿って移動させることにより、被写体像のピントを調整することができる。
【００１６】
レンズ駆動部１２０は、光学系１１０に含まれる各種レンズを駆動する。レンズ駆動部１２０は、例えばズームレンズを駆動するズームモータや、フォーカスレンズを駆動するフォーカスモータを含む。
【００１７】
絞り３００は、使用者の設定に応じて若しくは自動で、開口部の大きさを調整し、透過する光の量を調整する。
【００１８】
シャッタ１３０は、ＣＭＯＳイメージセンサ１４０に透過させる光を遮光するための手段である。
【００１９】
ＣＭＯＳイメージセンサ１４０は、光学系１１０で形成された被写体像を撮像して、画像データを生成する。ＣＭＯＳイメージセンサ１４０は、露光、転送、電子シャッタなどの各種動作を行う。
【００２０】
Ａ／Ｄコンバータ１５０は、ＣＭＯＳイメージセンサ１４０で生成されたアナログ画像データをデジタル画像データに変換する。
【００２１】
画像処理部１６０は、ＣＭＯＳイメージセンサ１４０で生成された画像データに対して各種処理を施し、表示モニタ２２０に表示するための画像データを生成したり、メモリカード２００に格納するための画像データを生成したりする。例えば、画像処理部１６０は、ＣＭＯＳイメージセンサ１４０で生成された画像データに対して、ガンマ補正、ホワイトバランス補正、傷補正などの各種処理を行う。また、画像処理部１６０は、ＣＭＯＳイメージセンサ１４０で生成された画像データを、Ｈ．２６４規格やＭＰＥＧ２規格に準拠した圧縮形式等により圧縮する。画像処理部１６０は、ＤＳＰやマイコンなどで実現可能である。
【００２２】
コントローラ１８０は、デジタルカメラ全体を制御する制御手段である。コントローラ１８０は、半導体素子などで実現可能である。コントローラ１８０は、ハードウェアのみで構成してもよいし、ハードウェアとソフトウェアとを組み合わせることにより実現してもよい。コントローラ１８０は、マイコンなどで実現できる。
【００２３】
バッファ１７０は、画像処理部１６０及びコントローラ１８０のワークメモリとして機能する。バッファ１７０は、例えば、ＤＲＡＭ、強誘電体メモリなどで実現できる。
【００２４】
カードスロット１９０は、メモリカード２００を着脱可能である。カードスロット１９０は、機械的及び電気的にメモリカード２００と接続可能である。メモリカード２００は、フラッシュメモリや強誘電体メモリなどを内部に含み、画像処理部１６０で生成された画像ファイル等のデータを格納可能である。
【００２５】
内部メモリ２４０は、フラッシュメモリや強誘電体メモリなどで構成される。内部メモリ２４０は、デジタルビデオカメラ１００全体を制御するための制御プログラム等を記憶している。例えば、内部メモリ２４０は、スライドショー表示において、表示する画像を変更する際に表示モニタ２２０に表示する表示効果の制御プログラムを記憶する。例えば、内部メモリ２４０は、図２（ａ）〜（ｉ）に示す表示効果の制御プログラムを記憶する。また、内部メモリ２４０は、複数の音声データを記憶する。
【００２６】
操作部材２１０は、使用者からの操作を受け付けるユーザーインターフェースの総称である。操作部材２１０は、例えば、使用者からの操作を受け付ける十字キーや決定釦等がこれにあたる。また、表示モニタ２２０上に設けられているタッチパネルも操作部材２１０に含まれる。
【００２７】
表示モニタ２２０は、ＣＭＯＳイメージセンサ１４０で生成した画像データが示す画像（スルー画像）や、メモリカード２００から読み出した画像データが示す画像を表示可能である。また、表示モニタ２２０は、デジタルビデオカメラ１００の各種設定を行うための各種メニュー画面等も表示可能である。
【００２８】
スピーカ２５０は、音声を出力する。スピーカ２５０は、内部メモリ２４０に記憶されている音声データが示す音声を出力できる。
【００２９】
１−２−２．用語の対応
メモリカード２００は、本発明の第１の記憶媒体の一例である。表示モニタ２２０は、本発明の表示手段の一例である。コントローラ１８０は、本発明の制御手段の一例である。操作部材２１０は、本発明の受付手段の一例である。内部メモリ２４０は、本発明の第２の記憶媒体の一例である。スピーカ２５０は、本発明のスピーカの一例である。
【００３０】
１−３．静止画スライドショー動作
次に、本実施の形態にかかるデジタルビデオカメラ１００における静止画のスライドショー動作について図３〜図５を用いて説明する。図３は、静止画のスライドショー動作を説明するためのフローチャートである。図４は、スライドショー表示におけるモードの選択画面を示す模式図である。図５は、内部メモリ２４０が記憶する管理テーブルの模式図である。
【００３１】
使用者は、操作部材２１０を操作することにより、デジタルビデオカメラ１００をスライドショー表示モードに設定できる（Ｓ１００）。スライドショー表示モードに設定されると、コントローラ１８０は、図４に示す画面を表示するよう表示モニタ２２０を制御する。ここで、「ポップ」、「クラシカル」、「ナチュラル」、「ダイナミック」、「効果なし」は、スライドショー表示における各種モードの名称である。図４に示す画面を表示モニタ２２０に表示させると、コントローラ１８０は、使用者により何れかのモードが選択されるまで待機する（Ｓ１１０）。
【００３２】
何れかのモードが選択されると、コントローラ１８０は、図４に示される決定アイコンが押下されるまで待機する（Ｓ１２０）。決定アイコンが押下されると、コントローラ１８０は、メモリカード２００記憶されている静止画像データのうちスライドショー対象として１枚目の画像を表示するよう表示モニタ２２０を制御する（Ｓ１３０）。１枚目の画像を表示すると、コントローラ１８０は、所定時間が経過したかを判断する（Ｓ１４０）。ここで、所定時間は、３秒と設定されている。
【００３３】
所定時間が経過すると、コントローラ１８０は、使用者により何れのモードが選択されたかを判断する（Ｓ１５０）。どのモードが選択されたかを判断すると、コントローラ１８０は、選択されたモードと対応付けられている表示効果のグループから何れかの表示効果をランダムに選択する（Ｓ１６０〜Ｓ１９０）。また、併せて、選択されたモードに対応付けられている音声データを選択する。なお、この音声データの選択は１回目にこのステップを処理するときにのみ行われる。各モードと、表示効果のグループと、音声データとは、図５に示すような管理テーブルにより管理され、内部メモリ２４０に記憶されている。従って、例えば、モードとして「ポップ」が選択された場合には、コントローラ１８０は、「ポップ」に対応付けられている表示効果である「ワイプ」、「スライドイン」、「スライドアウト」、「ズームイン」、「ズームアウト」のうちの何れかの表示効果をランダムに選択する。また、この場合に、コントローラ１８０は、「ポップ」に対応付けられている音である「ＢＧＭ１」を選択する。
【００３４】
ステップＳ１６０〜ステップＳ１９０において何れかの表示効果を選択すると、コントローラ１８０は、選択した表示効果を表示するよう表示モニタ２２０を制御する（Ｓ２００）。また、コントローラ１８０は、選択した音を出力するようにスピーカ２５０を制御する（Ｓ２００）。なお、選択された音の出力はスライドショー表示モードが中断されるまで継続される。
【００３５】
表示効果を表示モニタ２２０に表示させると、コントローラ１８０は、次に表示させる静止画像を表示するよう表示モニタ２２０を制御する（Ｓ１３０）。コントローラ１８０は、スライドショー表示モードが中断されるまで、ステップＳ１３０〜ステップＳ２００の処理を繰り返す。
【００３６】
このように、本実施の形態にかかるデジタルビデオカメラ１００は、複数の表示効果のうちの全部又は一部の表示効果を複数のグループのうちの全部又は一部のグループに分類している。また、デジタルビデオカメラ１００は、使用者により選択されたスライドショー表示のモードの種類に応じて、複数のグループのうちの何れのグループに含まれる表示効果を表示モニタ２２０に表示させるかを決定する。これにより、スライドショー表示において、表示する画像を変更する際の効果の設定が容易となる。
２．他の実施の形態
以上により、本発明の実施の形態として、実施の形態１を説明した。しかし、本発明は、これらには限定されない。そこで、本発明の他の実施の形態を本欄にまとめて説明する。
【００３７】
上記の実施の形態では、撮像手段として、ＣＭＯＳイメージセンサ１４０を例示したが、撮像手段はこれに限定されない。例えば、撮像手段を、ＣＣＤイメージセンサやＮＭＯＳイメージセンサで構成してもよい。
【００３８】
また、画像処理部１６０とコントローラ１８０とは、１つの半導体チップで構成してもよく、別々の半導体チップで構成してもよい。
【００３９】
また、実施の形態１では、静止画像のスライドショーに関して本技術を適用した。しかしながら、必ずしもこのような例には限定されない。例えば、動画像のスライドショーに関して本技術を適用してもよい。また、動画像データのうちの一部分を切り出し、それらを繋ぎ合わせたようなダイジェスト再生をするような場合に、再生する部分を切り替える際に、本技術を適用してもよい。
【産業上の利用可能性】
【００４０】
本発明は、デジタルビデオカメラ、デジタルスチルカメラ等の画像表示装置に適用できる。
【符号の説明】
【００４１】
１００    デジタルビデオカメラ
１１０    光学系
１２０    レンズ駆動部
１３０    シャッタ
１４０    ＣＣＤイメージセンサ
１５０    Ａ／Ｄコンバータ
１６０    画像処理部
１７０    バッファ
１８０    コントローラ
１９０    カードスロット
２００    メモリカード
２１０    操作部材
２２０    表示モニタ
２３０    顔枠
２４０    内部メモリ
【図１】
2012142656.tif 000003
【図２】
2012142656.tif 000004
【図３】
2012142656.tif 000005
【図４】
2012142656.tif 000006
【図５】
2012142656.tif 000007